(57)【要約】【課題】壁等に設置されている空気調和機等の運転の有無にかかわらず、送風機能を有しないイオン発生装置とともに使用して、イオンを居住空間内に効率よく拡散することができる送風装置、及び該送風装置の使用方法を提供する。【解決手段】送風装置１は、空気の流入が可能な２つの流入口３，４と、空気の流出が可能な流出口５とを備えたケーシング２内に、２つの流入口３，４と流出口５とを結ぶ通風路６を備え、通風路６に、送風方向が２つの流入口の一方４から流出口５へ向いた送風機７が配置してある。２つの流入口の他方３が、壁に設置された空調機１１の吹出口１１ａに対向し、流出口５が、外部から流入した空気にイオン発生器１０ｅで発生させたイオンを付加し、外部に送り出すイオン発生装置１０の流入口１０ｂに対向するように、送風装置１を配置する。【選択図】図４
2013092273.tif 000002
【特許請求の範囲】
【請求項１】
外部から流入した空気を外部へ送風する送風装置であって、
空気の流入が可能な２つの流入口と、空気の流出が可能な流出口とを備えたケーシング内に、前記２つの流入口と流出口とを結ぶ通風路を備え、該通風路に、送風方向が前記２つの流入口の一方から前記流出口へ向いた送風機が配置してあることを特徴とする送風装置。
【請求項２】
前記送風機は、送風方向に沿って周囲を覆うカバーを備えたクロスフローファンであることを特徴とする請求項１に記載の送風装置。
【請求項３】
前記カバーは、前記２つの流入口の他方に通じる開口を有していることを特徴とする請求項２に記載の送風装置。
【請求項４】
前記２つの流入口の他方への空気の流入を検知する流入検知センサと、
該流入検知センサの検知結果に基づき、前記空気の流入が検知された場合に前記送風機の作動を停止させ、前記空気の流入が検知されない場合に前記送風機を作動させる制御部とを備えていることを特徴とする請求項１から３の何れか１項に記載の送風装置。
【請求項５】
前記２つの流入口の一方が前記通風路に連通し、他方が前記通風路に連通しない状態と、前記２つの流入口の他方が前記通風路に連通し、一方が前記通風路に連通しない状態とに切替可能な切替手段を備え、
前記制御部は、前記空気の流入が検知された場合に前記２つの流入口の他方が前記通風路に連通するように前記切替手段を作動させ、前記空気の流入が検知されない場合に前記２つの流入口の一方が前記通風路に連通するように前記切替手段を作動させることを特徴とする請求項４に記載の送風装置。
【請求項６】
前記切替手段は、前記２つの流入口の一方に通じる開口を形成し、他方に通じる開口を形成しない位置と、前記２つの流入口の他方に通じる開口を形成し、一方に通じる開口を形成しない位置との間に移動自在な前記クロスフローファンのカバーの可動部で構成してあることを特徴とする請求項５に記載の送風装置。
【請求項７】
前記２つの流入口の他方が、壁に設置された空調機の吹出口に対向し、前記流出口が、外部から流入した空気にイオン発生器で発生させたイオンを付加し、外部に送り出すイオン発生装置の流入口に対向するように、請求項１から６の何れか１項に記載の送風装置を配置することを特徴とする送風装置の使用方法。
【請求項８】
前記通風路は、一端が夫々前記２つの流入口の一方と他方とに連通した２つの風路部分の他端が合流して前記流出口に至る合流部を有しており、該合流部にイオン発生器を備えていることを特徴とする請求項１から６の何れか１項に記載の送風装置。
【請求項９】
前記２つの流入口の他方が、壁に設置された空調機の吹出口に対向するように、請求項８に記載の送風装置を配置することを特徴とする送風装置の使用方法。
【発明の詳細な説明】
【技術分野】
【０００１】
本発明は、壁等に設置された空調機等の吹出口から吹き出す空気に対してイオンを付加して室内等に供給するために使用される送風装置、及び該送風装置の使用方法に関する。
【背景技術】
【０００２】
近年、イオンによって居住空間内の空気を清浄化するイオン発生装置が実用化されている。イオン発生装置では、大気中におけるコロナ放電によって正イオンであるＨ+（Ｈ2Ｏ）ｍ（ｍは任意の自然数）と、負イオンであるＯ2-（Ｈ2Ｏ）ｎ（ｎは任意の自然数）とを同等量発生させ、送風ファンによって外部に放出することにより、両イオンが空気中の浮遊カビ菌やウイルスの周りを取り囲んで付着し、その際に反応生成される活性種の水酸基ラジカル（・ＯＨ）の作用により、浮遊カビ菌等を不活性化することが可能である（特許文献１−３参照）。
【０００３】
又、室内機にプラズマ発生器（イオン発生器）を備え、イオン発生機能を有する天井埋込型空気調和機も公知である（特許文献４参照）。
【先行技術文献】
【特許文献】
【０００４】
【特許文献１】特開２００３−４７６５１号公報
【特許文献２】特開２００２−３１９４７２号公報
【特許文献３】特開２０１０−０５５９６０号公報
【特許文献４】特開２００６−２９６６５号公報
【発明の概要】
【発明が解決しようとする課題】
【０００５】
従来のイオン発生機能を有する天井埋込型空気調和機では、予めイオン発生器を内蔵している。そのため、イオン発生器を内蔵していない天井埋込型空気調和機にイオン発生器を設ける場合には、既設の天井埋込型空気調和機の大規模な改造が必要となる。
【０００６】
かかる問題に対して、本出願人は、空気の流入口及び流出口を備え、イオン発生器を内蔵したイオン発生装置（但し送風ファンは備えていない）について出願している。このイオン発生装置を既設の天井埋込型空気調和機の吹出口の下流側の天井面に設置し、天井埋込型空気調和機の吹出口から吹き出す空気を流入口に流入させて内部でイオンを付加した後、流出口から外部へ流出させることにより、室内等の居住空間内にイオンを供給することができる。但し、本イオン発生装置では、天井埋込型空気調和機の吹出口から吹き出す風を利用しているので、天井埋込型空気調和機が運転を停止し、吹出口から風が出ていない場合は、室内等にイオンを供給することができない。
【０００７】
本発明は、上述した事情に鑑みてなされたものであり、壁等に設置されている空気調和機等の運転の有無にかかわらず、送風機能を有しないイオン発生装置とともに使用して又はイオン発生装置を別途必要とせず、イオンを居住空間内に効率よく拡散することができる送風装置、及び該送風装置の使用方法を提供することを目的とする。
【課題を解決するための手段】
【０００８】
本発明に係る送風装置は、外部から流入した空気を外部へ送風する送風装置であって、空気の流入が可能な２つの流入口と、空気の流出が可能な流出口とを備えたケーシング内に、前記２つの流入口と流出口とを結ぶ通風路を備え、該通風路に、送風方向が前記２つの流入口の一方から前記流出口へ向いた送風機が配置してあることを特徴とする。
【０００９】
本発明においては、２つの流入口の一方に流入した空気が送風機によって送風されて通風路を流れ、流出口から外部へ流出することができる。また、２つの流入口の他方に流入した空気が流入した空気自身の流れの力によって通風路を流れ、流出口から外部へ流出することができる。そこで、上記２つの流入口の他方に空気調和機等から吹き出す空気を流入させ、上記流出口から流出する空気を送風機能のないイオン発生装置に流入させることにより、空気調和機等が運転している場合は、空気調和機等から吹き出した空気が２つの流入口の他方に流入して通風路を流れ、また、空気調和機等の運転が停止している場合は、送風機の送風力によって２つの流入口の一方に流入した空気が通風路を流れ、夫々流出口から外部へ流出する。そして、流出口から流出した空気が上記イオン発生装置に流入し、イオン発生装置内でイオンを付加され、イオン発生装置からイオンが付加された空気が流出する。
【００１０】
本発明に係る送風装置は、前記送風機は、送風方向に沿って周囲を覆うカバーを備えたクロスフローファンであることを特徴とする。
本発明においては、クロスフローファンによって送風された空気がクロスフローファンの周囲を覆うカバーによってガイドされ、流出口から整流状態で流出してイオン発生装置に流入するので、イオン発生装置内でイオンを付加された空気も整流状態を維持し、イオンを居住空間内に均一に拡散することができる。
【００１１】
本発明に係る送風装置は、前記カバーは、前記２つの流入口の他方に通じる開口を有していることを特徴とする。
本発明においては、クロスフローファンが作動していない場合は、空気調和機等から吹き出した空気が２つの流入口の他方に流入してクロスフローファンのカバーの開口からカバー内に入り、カバーによってガイドされて流れて流出口から流出する。クロスフローファンが作動している場合は、２つの流入口の一方に流入した空気がクロスフローファンによって送風され、一部はカバーの開口からカバー外に漏れるが、大部分はカバーによってガイドされてクロスフローファンの送風方向に流れ、流出口から流出する。その結果、クロスフローファンのカバーの一部に開口を設けるだけの簡素な手段により、空気調和機等の運転の有無にかかわらずイオン発生装置に対して空気を流出することができる。
【００１２】
本発明に係る送風装置は、前記２つの流入口の他方への空気の流入を検知する流入検知センサと、該流入検知センサの検知結果に基づき、前記空気の流入が検知された場合に前記送風機の作動を停止させ、前記空気の流入が検知されない場合に前記送風機を作動させる制御部とを備えていることを特徴とする。
本発明においては、２つの流入口の他方への空気の流入が検知された場合は、空気調和機等が運転して吹き出し風が２つの流入口の他方へ流入しているので、送風機の作動を停止させる。２つの流入口の他方への空気の流入が検知されない場合は、空気調和機等の運転が停止しているので、送風機を作動させる。その結果、空気調和機等の運転の有無に自動的に対応してイオン発生装置に対して空気を流出することができる。
【００１３】
本発明に係る送風装置は、前記２つの流入口の一方が前記通風路に連通し、他方が前記通風路に連通しない状態と、前記２つの流入口の他方が前記通風路に連通し、一方が前記通風路に連通しない状態とに切替可能な切替手段を備え、前記制御部は、前記空気の流入が検知された場合に前記２つの流入口の他方が前記通風路に連通するように前記切替手段を作動させ、前記空気の流入が検知されない場合に前記２つの流入口の一方が前記通風路に連通するように前記切替手段を作動させることを特徴とする。
【００１４】
本発明においては、２つの流入口の他方への空気の流入が検知された場合は、空気調和機等からの吹き出し風が２つの流入口の他方へ流入しているので、送風機の作動を停止させると共に、２つの流入口の他方が前記通風路に連通し、一方が前記通風路に連通しない状態に切り替える。その結果、２つの流入口の他方に流入した空気を一方の流入口から外部に漏れることなく、効率よく流出口から流出させることができる。また、２つの流入口の他方への空気の流入が検知されない場合は、空気調和機等の運転が停止しているので、送風機を作動させると共に、２つの流入口の一方が前記通風路に連通し、他方が前記通風路に連通しない状態に切り替える。その結果、２つの流入口の一方に流入し、送風機で送風された空気を他方の流入口から外部に漏れることがなく、効率よく流出口から流出させることができる。
【００１５】
本発明に係る送風装置は、前記切替手段は、前記２つの流入口の一方に通じる開口を形成し、他方に通じる開口を形成しない位置と、前記２つの流入口の他方に通じる開口を形成し、一方に通じる開口を形成しない位置との間に移動自在な前記クロスフローファンのカバーの可動部で構成してあることを特徴とする。
本発明においては、２つの流入口の他方への空気の流入が検知された場合は、クロスフローファンのカバーの可動部を２つの流入口の他方に通じる開口を形成し、一方に通じる開口を形成しない位置に移動させる。２つの流入口の他方への空気の流入が検知されない場合は、クロスフローファンのカバーの可動部を２つの流入口の一方に通じる開口を形成し、他方に通じる開口を形成しない位置に移動させる。その結果、クロスフローファンのカバーの一部を移動させる簡素な手段により、カバーにてガイドされる空気流を空気調和機等の運転の有無に自動的に対応して効率よく流出口から流出させることができる。
【００１６】
本発明に係る送風装置の使用方法は、前記２つの流入口の他方が、壁に設置された空調機の吹出口に対向し、前記流出口が、外部から流入した空気にイオン発生器で発生させたイオンを付加し、外部に送り出すイオン発生装置の流入口に対向するように、前記送風装置を配置することを特徴とする。
【００１７】
本発明においては、壁に設置された空調機が運転している場合は、空調機の吹出口から吹き出した空気が２つの流入口の他方に流入して通風路を流れ、流出口から外部へ流出し、空調機の運転が停止している場合は、送風機の送風力によって２つの流入口の一方に流入した空気が通風路を流れ、流出口から外部へ流出する。そして、流出口から外部へ流出した空気がイオン発生装置の流入口に流入し、イオン発生装置内のイオン発生器で発生させたイオンが付加され、イオン発生装置から外部に送り出される。
【００１８】
本発明に係る送風装置は、前記通風路は、一端が夫々前記２つの流入口の一方と他方とに連通した２つの風路部分の他端が合流して前記流出口に至る合流部を有しており、該合流部にイオン発生器を備えていることを特徴とする。
本発明においては、２つの流入口の一方に流入した空気が送風機によって送風されて２つの流入口の一方に連通した風路部分及び合流部を流れ、合流部を流れるときにイオン発生器で発生したイオンが付加されて流出口から外部へ流出する。また、２つの流入口の他方に流入した空気が流入した空気自身の流れの力によって２つの流入口の他方に連通した風路部分及び合流部を流れ、合流部を流れるときにイオン発生器で発生したイオンが付加され流出口から外部へ流出する。その結果、別途イオン発生装置を必要とせず、送風装置によりイオンが付加された空気を流出することができる。
【００１９】
本発明に係る送風装置の使用方法は、前記２つの流入口の他方が、壁に設置された空調機の吹出口に対向するように、前記イオン発生器を備えた送風装置を配置することを特徴とする。
本発明においては、壁に設置された空調機が運転している場合は、空調機の吹出口から吹き出した空気が２つの流入口の他方に流入して該２つの流入口の他方に連通した風路部分及び前記合流部を流れ、合流部を流れるときにイオン発生器で発生したイオンが付加されて流出口から外部へ流出する。空調機の運転が停止している場合は、送風機の送風力によって２つの流入口の一方に流入した空気が該２つの流入口の一方に連通した風路部分及び前記合流部を流れ、合流部を流れるときにイオン発生器で発生したイオンが付加されて流出口から外部へ流出する。
【発明の効果】
【００２０】
本発明によれば、空気調和機等が運転されている場合は空気調和機等から吹き出す風を利用してイオンが付加された空気をイオン発生装置から流出させ、また、空気調和機等の運転が停止している場合は送風装置に内蔵した送風機の送風力によってイオンが付加された空気をイオン発生装置から流出させるので、壁等に設置されている空気調和機等の運転の有無にかかわらず、送風機能を有しないイオン発生装置とともに使用して、イオンを居住空間内に効率よく拡散することができる送風装置、及び、かかる送風装置の使用方法が提供される。
【００２１】
本発明によれば、空気調和機等が運転されている場合は空気調和機等から吹き出す風を利用して送風装置内でイオンが付加された空気を流出し、また、空気調和機等の運転が停止している場合は送風装置内でイオンが付加された空気を内蔵した送風機の送風力によって流出するので、壁等に設置されている空気調和機等の運転の有無にかかわらず、別途イオン発生装置を必要とせず、イオンを居住空間内に効率よく拡散することができる送風装置、及び、かかる送風装置の使用方法が提供される。
【図面の簡単な説明】
【００２２】
【図１】本発明の実施の形態１に係る送風装置の構成を模式的に示す断面図である。
【図２】図１に示す送風装置の制御構成のブロック図である。
【図３】イオン発生装置の構成を模式的に示す断面図である。
【図４】図１の送風装置の天井への設置構造及び動作を示す断面図である。
【図５】図１の送風装置の他の動作状態を示す断面図である。
【図６】本発明の実施の形態２に係る送風装置の構成を模式的に示す断面図である。
【図７】図６に示す送風装置の制御構成のブロック図である。
【図８】図６の送風装置の天井への設置構造及び動作を示す断面図である。
【図９】図６の送風装置の他の動作状態を示す断面図である。
【図１０】本発明の実施の形態３に係る送風装置の構成を模式的に示す断面図である。
【図１１】図１０の送風装置の天井への設置構造及び動作を示す断面図である。
【発明を実施するための形態】
【００２３】
以下、本発明に係る送風装置及び該送風装置の使用方法の実施の形態について図面に基づいて説明する。
（実施の形態１）
図１は本発明の実施の形態１に係る送風装置の構成を模式的に示す断面図、図２は図１に示す送風装置の制御構成のブロック図、図３はイオン発生装置の構成を模式的に示す断面図である。
【００２４】
本発明の実施の形態１に係る送風装置１は、矩形の断面を有し、一方向（図１の紙面に直交する方向）に長い形状のケーシング２を備え、ケーシング２は対向する２つの壁に第１流入口３と流出口５とを設け、他の壁に第２流入口４を設けてある。第１流入口３、第２流入口４及び流出口５はケーシング２の長手方向に沿って細長い矩形状をなす。ケーシング２内には、第１流入口３と第２流入口４と流出口５とを結ぶ通風路６を備えている。尚、送風装置１は、第２流入口４を下向きにして天井等に固定される。
【００２５】
通風路６は、第１流入口３と流出口５とを略直線的に結ぶ第１風路６ａと、第１風路６ａと第２流入口４とを結ぶ第２風路６ｂとを有する。第２風路６ｂに、送風方向が第２流入口４から第１風路６ａ側に向いたクロスフローファン７が配置してある。
【００２６】
クロスフローファン７は、送風方向に沿って周囲を覆うカバー８を備えている。カバー８は、第１流入口３に対向する部分に開口８ａが形成されている。また、カバー８の流出口５側には、スタビライザー７ａが設置されている。本来のクロスフローファンは、カバーがファンの周囲を全て覆っているが、スタビライザー７ａを設置していれば、カバーに一部開口を形成しても、流出口５に対して送風することができる。その結果、カバー８に第１流入口３に通じる開口８ａを形成することにより、第１流入口３から流入する風を送り出すことができる。クロスフローファン７は、クロスフローファンモータ７ｂによって回転駆動される。
【００２７】
第１流入口３の周囲のケーシング２の外面に、第１流入口３への空気の流入を検知する風速センサ９を設けている。風速センサ９は、検出面に加わる風圧を検出する圧力センサ等で構成される。
【００２８】
送風装置１は、制御部２０を備え、制御部２０に風速センサ９の検知情報が入力され、制御部２０からクロスフローファンモータ７ｂに対する駆動信号が出力されている。
【００２９】
本発明に係る送風装置１と一緒に使用されるイオン発生装置１０は、台形の断面を有し、送風装置１と略同じ長さのケーシング１０ａを備えている。イオン発生装置１０は、台形の２つの底面のうち面積の広い方の底面を上向きにして送風装置１と同様に天井等に固定される。ケーシング１０ａには、緩い傾斜の斜面の上側に流入口１０ｂを設け、下側に流出口１０ｃを設け、急傾斜の斜面に他の流出口１０ｄを設けている。上壁の内面にイオン発生器１０ｅが設けられ、下壁の内面に、流入口１０ｂから流入した空気を下側の流出口１０ｃに案内する上向きの案内板１０ｆが突設されている。
【００３０】
イオン発生器１０ｅは、正イオンＨ+（Ｈ2Ｏ）ｍ（ｍは任意の自然数）と、負イオンＯ 2-（Ｈ2Ｏ）ｎ（ｎは任意の自然数）とを発生する。正負のイオンは空気中に送出されることによって、空気中の浮遊細菌やウィルスに付着し、その際に起こる反応によって水酸基ラジカルを生じその活性によって殺菌もしくは不活化をする。
【００３１】
次に、本実施形態に係る送風装置１の使用方法について説明する。図４は図１の送風装置の天井への設置構造及び動作を示す断面図、図５は図１の送風装置の他の動作状態を示す断面図である。
【００３２】
天井埋込型空気調和機１１は、内部に送風機、熱交換器等（不図示）を備え、調和空気を吹き出す吹出口１１ａを備えている。吹出口１１ａには風向変更板（ルーバー）１１ｂが設置されている。天井埋込型空気調和機１１の運転時は、室内の空気を吸い込み、熱交換機を通した後、吹出口１１ａから吹き出す。
【００３３】
送風装置１を、天井設置型イオン発生装置１０の流入口１０ｂと天井埋込型空気調和機１１の吹出口１１ａとの間の天井に設置する。天井埋込型空気調和機１１の運転が停止し、風速センサ９が吹出口１１ａからの吹き出し風を検知しない場合は、クロスフローファン７が作動し、図４の通りクロスフローファン７が送風する風によって、第２流入口４から流入した空気が流出口５に通流した後、流出口５から流出し、天井設置型イオン発生装置１０に流入してイオン発生器１０ｅで発生した正負イオンを空間に拡散させる。
【００３４】
天井埋込型空気調和機１１が運転していて、風速センサ９が吹出口１１ａからの吹き出し風を検知した場合は、クロスフローファン７は作動を停止し、図５の通り天井埋込型空気調和機１１からの風が第１流入口３から流入し、第１風路６ａを通流した後、流出口５から流出した空気が天井設置型イオン発生装置１０に流入してイオン発生器１０ｅで発生した正負イオンを空間に拡散させる。このようなシステムにより、天井埋込型空気調和機１１の運転状況によらず、空間に正負イオンを拡散させることができ、また、クロスフローファン７を常時作動させる必要もないので、電力も効率よく使用することができる。
【００３５】
（実施の形態２）
図６は本発明の実施の形態２に係る送風装置の構成を模式的に示す断面図、図７は図６に示す送風装置の制御構成のブロック図、図８は図６の送風装置の天井への設置構造及び動作を示す断面図、図９は図６の送風装置の他の動作状態を示す断面図である。
【００３６】
実施の形態２の送風装置１Ａでは、カバー８に、第１流入口３をカバー８内に連通させ、第２流入口４のカバー８内への連通を遮断する位置と、第１流入口３のカバー８内への連通を遮断させ、第２流入口４をカバー８内に連通させる位置との間を移動自在な可動部８ｂが有する点が実施の形態１と異なる。尚、可動部８ｂを案内するレール２１が設けられ、可動部８ｂはクロスフローファン７の回転軸と平行な軸回りに回転するように移動する。
【００３７】
送風装置１Ａは、可動部８ｂを移動させるためのカバー移動モータ８ｃを備えており、制御部２０に風速センサ９の検知情報が入力され、制御部２０からクロスフローファンモータ７ｂ及びカバー移動モータ８ｃに対する駆動信号が出力されている。
【００３８】
本実施の形態２においても、天井埋込型空気調和機１１が停止し、風速センサ９が風を検知しない場合には、図８の通り、可動部８ｂが上側に移動して第１流入口３のカバー８内への連通を阻止するとともに、クロスフローファン７が作動し、クロスフローファン７からの風により、天井設置型イオン発生装置１０で発生した正負イオンを空間に拡散させる。また、天井埋込型空気調和機１１が運転していて、風速センサ９が風を検知した場合には、図９の通り、可動部８ｂが下側に移動することで、第２流入口４のカバー８内への連通を阻止するとともに、第１流入口３をカバー８内へ連通させ、天井埋込型空気調和機１１からの風をイオン発生装置１０へと通流させことが可能となり、これによって、イオン発生装置１０で発生した正負イオンを空間に拡散させることが可能となる。
【００３９】
（実施の形態３）
図１０は本発明の実施の形態３に係る送風装置の構成を模式的に示す断面図、図１１は図１０の送風装置の天井への設置構造及び動作を示す断面図である。
【００４０】
実施の形態３の送風装置１Ｂでは、第１風路６ａの終端部に連なる第３風路６ｃが設けられ、第３風路６ｃ内にイオン発生器２２が設置され、第３風路６ｃの終端部に流出口５Ａが設けてある点が実施の形態１と異なる。尚、イオン発生器２２は前記イオン発生器１０ｅと同一の構成のものであり、正負のイオンを発生させる。また、流出口５Ａには風向変更板（ルーバー）２３が設置されている。
【００４１】
本実施の形態３においては、天井埋込型空気調和機１１が停止し、風速センサ９が風を検知しない場合には、図１１の通り、クロスフローファン７が作動し、クロスフローファン７からの風により、第３風路６ｃのイオン発生器２２で発生した正負イオンを流出口５Ａから流出させて空間に拡散させる。また、天井埋込型空気調和機１１が運転していて、風速センサ９が風を検知した場合には、天井埋込型空気調和機１１からの風が第１流入口３から流入し、第１風路６ａ及び第３風路６ｃを通流し、第３風路６ｃのイオン発生器２２で発生した正負イオンを流出口５Ａから流出させて空間に拡散させる。
【００４２】
天井埋込型空気調和機１１からの風をイオン発生器２２に送る手段として、図１０には実施の形態１と同様に、クロスフローファン７のカバー８を一部切り取って開口８ａを形成したが、実施の形態２のように、クロスフローファン７のカバー８に可動部８ｂを設け、風速センサ９が風を検知した場合には、可動部８ｂが下側に移動して第１流入口３をカバー８内に連通させるようにしてもよい。
【００４３】
実施の形態１、２において、送風装置１，１Ａとイオン発生装置１０とが別体であるため、天井埋込型空気調和機１１から吹き出した風又は送風装置１，１Ａのクロスフローファン７で発生させた風をイオン発生装置１０に送り込む場合、送風装置１，１Ａの流出口５とイオン発生装置１０内のイオン発生器１０ｅの間に天井設置型イオン発生装置１０のケーシングがあるため、風量のロスがあったが、実施の形態３のようにイオン発生器２２とクロスフローファン７を一体化させることによって、風量のロスを防ぐことができる。また、クロスフローファン７及びイオン発生器２２を内蔵した送風装置１Ｂでは風向変更板（ルーバー）２３の向きを調整してイオンを必要とされる方向に送ることができ、より効率的に空間にイオンを拡散させることができる。
【００４４】
上記の実施の形態１−３では、本発明に係る送風装置を天井埋込型空気調和機１１の吹出口１１ａ近傍の天井に設置したが、天井埋込型空気調和機１１に限らず、壁面に設置された空気調和機等にも適用することができる。
【符号の説明】
【００４５】
１          送風装置
１Ａ        送風装置
１Ｂ        送風装置
２          ケーシング
３          第１流入口（流入口）
４          第２流入口（流入口）
５          流出口
５Ａ        流出口
６          通風路
６ａ        第１風路（風路部分）
６ｂ        第２風路（風路部分）
６ｃ        第３風路（合流部）
７          クロスフローファン（送風機）
８          カバー
８ａ        開口
８ｂ        可動部（切替手段）
８ｃ        カバー移動モータ（切替手段）
９          風速センサ（流入検知センサ）
１０        イオン発生装置
１０ｂ      流入口
１０ｅ      イオン発生器
１１        天井埋込型空気調和機（空調機）
１１ａ      吹出口
２０        制御部
２２        イオン発生器
【図１】
2013092273.tif 000003
【図２】
2013092273.tif 000004
【図３】
2013092273.tif 000005
【図４】
2013092273.tif 000006
【図５】
2013092273.tif 000007
【図６】
2013092273.tif 000008
【図７】
2013092273.tif 000009
【図８】
2013092273.tif 000010
【図９】
2013092273.tif 000011
【図１０】
2013092273.tif 000012
【図１１】
2013092273.tif 000013